(57)【要約】【課題】振動吸収に最適なダンパー機構を設けることにより、対物レンズの振動を効果的に吸収可能な光ヘッド装置を提供すること。【解決手段】光ヘッド装置１のレンズホルダ２２は、対物レンズ３および駆動コイル２４、２５を保持した状態で平面方向における重心Ｇ１が、レンズホルダに対する支持中心位置（支軸２１の位置）およびレンズ保持部２２４上からずれている。レンズホルダ２２には、コイル保持部２２４の側に第１のウエイト６１および第１のダンパー部材６２を備えた第１のダンパー機構６が配置されている一方、第１のダンパー機構６に対して重心Ｇ１を挟んだ反対側に第２のウエイト７１および第２のダンパー部材７２を備えた第２のダンパー機構７が配置されている。第１のダンパー機構６は、レンズ保持部２２４の側面に対して対物レンズ３を挟む両側位置の各々に配置されている。【選択図】　　　図１
2004145960.tif 000002
【特許請求の範囲】
【請求項１】
対物レンズを保持するレンズ保持部、および駆動コイルを保持するコイル保持部を備えたレンズホルダと、該レンズホルダをトラッキング方向およびフォーカシング方向に移動可能に支持する支持部材とを有する光ヘッド装置において、
前記レンズホルダは、前記対物レンズおよび前記駆動コイルを保持した状態で平面方向における重心が当該レンズホルダに対する支持中心位置からずれた箇所に位置し、かつ、
前記レンズホルダには、前記コイル保持部の側に第１のウエイトおよび第１のダンパー部材を備えた第１のダンパー機構が配置されている一方、当該第１のダンパー機構に対して前記重心を挟んだ反対側に第２のウエイトおよび第２のダンパー部材を備えた第２のダンパー機構が配置されていることを特徴とする光ヘッド装置。
【請求項２】
請求項１において、前記第１のダンパー機構は、前記レンズ保持部に対して前記対物レンズを挟む両側位置の各々に配置されていることを特徴とする光ヘッド装置。
【発明の詳細な説明】
【０００１】
【発明の属する技術分野】
本発明は、光記録媒体の記録、再生に用いられる光ヘッド装置に関するものである。さらに詳しくは、この光ヘッド装置における対物レンズの振動防止技術に関するものである。
【０００２】
ＣＤ、ＣＤ−Ｒ、ＤＶＤなどの光記録媒体の記録、再生を行う光ヘッド装置は、例えば、図３に示すように、対物レンズ３を保持したレンズホルダ２２を有しており、このレンズホルダ２２は、円筒状のコイル保持部２２１と、このコイル保持部２２１の内側に形成された円筒状の軸受け部２２２と、軸受け部２２２とコイル保持部２２１とを連結するリブ２２３と、コイル保持部２２１から突き出るように形成されたレンズ保持部２２４とを備えている。コイル保持部２２１の外周面には一対のトラッキング駆動コイル２５と、一対のフォーカシング駆動コイル２４とが配置されている。
【０００３】
また、フレーム２０に保持されているホルダ支持部材（図示せず）の底壁からは支軸２１（支持部材）が直立し、この支軸２１はレンズホルダ２２の軸受け部２２２の内側に差し込まれて、レンズホルダ２２をフォーカシング方向およびトラッキング方向に移動可能に支持している。また、ホルダ支持部材には、トラッキング駆動コイル２５と対峙するように一対のトラッキング駆動マグネット２７が取り付けられ、フォーカシング駆動コイル２４に対峙して一対のフォーカシング駆動マグネット２６が取り付けられている。
【０００４】
このように構成した光ヘッド装置において、駆動コイル２４、２５に通電すると、それによって発生したローレンツ力により、対物レンズ３を保持するレンズホルダ２２をフォーカシング方向およびトラッキング方向に駆動することができる。その際に、対物レンズ３が振動し続けると、光記録媒体の記録、再生を適正に行うことができない。
【０００５】
そこで、振動を吸収するために、レンズホルダ２２にはダンパー機構８が設けられている。このダンパー機構８を設けるにあたって、レンズホルダ２２は、対物レンズ３および駆動コイル２４、２５を保持した状態で平面方向における重心Ｇ３が、レンズホルダ２２に対する支持中心位置（支軸２１の位置）からレンズ保持部２２４の側にずれているため、従来は、レンズ保持部２２４に対して重心を挟んだ反対側に、レンズ保持部２２４側との重量バランスをとるバランスウエイト８１を弾性部材からなるダンパー部材８２を介して貼り付けている。
【０００６】
【発明が解決しようとする課題】
しかしながら、従来のダンパー機構８では、バランスウエイト８１の質量が対物レンズ３を保持した状態のレンズ保持部２２４側の質量に制約を受けることになるため、振動吸収に最適なバランスウエイト８１を使用することができない。また、ダンパー機構８の位置についても、レンズ保持部２２４の位置などの制約を受けて最適な位置に配置できない。それ故、従来のダンパー機構８では、吸収できる振動の周波数が限られてしまい、かつ、捩れ振動などといった様々な振動モードに対応できず、対物レンズ３の振動を効果的に抑制できないという問題点がある。
【０００７】
以上の問題点に鑑みて、本発明では、振動吸収に最適なダンパー機構を設けることにより、対物レンズの振動を効果的に吸収可能な光ヘッド装置を提供することにある。
【０００８】
【課題を解決するための手段】
上記課題を解決するために、本発明では、対物レンズを保持するレンズ保持部、および駆動コイルを保持するコイル保持部を備えたレンズホルダと、該レンズホルダをトラッキング方向およびフォーカシング方向に移動可能に支持する支持部材とを有する光ヘッド装置において、前記レンズホルダは、前記対物レンズおよび前記駆動コイルを保持した状態で平面方向における重心が当該レンズホルダに対する支持中心位置からずれた箇所に位置し、かつ、前記レンズホルダには、前記コイル保持部の側に第１のウエイトおよび第１のダンパー部材を備えた第１のダンパー機構が配置されている一方、当該第１のダンパー機構に対して前記重心を挟んだ反対側に第２のウエイトおよび第２のダンパー部材を備えた第２のダンパー機構が配置されていることを特徴とする。
【０００９】
本発明においては、重心を挟む両側に第１および第２のダンパー機構を設けるため、対物レンズを保持した状態のレンズ保持部側の質量並びに位置、第１のダンパー機構のウエイトの質量並びに位置、および第２のダンパー機構のウエイトの質量並びに位置によってバランスを調整できる。例えば、対物レンズを保持した状態のレンズ保持部側の質量と、第２のダンパー機構に用いたウエイトの質量とをバランスさせてなくても、バランスのとりきれない部分については第１のダンパー機構に用いるウエイトの質量で補完するなどの対応をとることができる。また、ダンパー機構の位置についても、例えば、レンズ保持部に対する第１のダンパー機構の取り付け位置に対応させて、第２のダンパー機構の取り付け位置を設定するなどの対策を行うことができる。それ故、ダンパー機構の設計の自由度が高いので、対物レンズを保持した状態のレンズ保持部側の質量などにかかわらず、共振周波数に対応するダンパー機構を構成することができ、かつ、捩れ振動などといった様々な振動モードにも対応できるので、対物レンズの振動を効果的に吸収することができる。
【００１０】
本発明において、前記第１のダンパー機構は、前記レンズ保持部に対して前記対物レンズを挟む両側位置の各々に配置されていることが好ましい。このように構成すると、対物レンズに発生する振動を直接、吸収することができる。
【００１１】
【発明の実施の形態】
図面を参照して、本発明の実施の形態を説明する。なお、以下に説明する実施の形態は、基本的な構成が従来のものと共通しているので、共通する部分には同一の符号を付して説明する。
【００１２】
［実施の形態１］
図１（Ａ）、（Ｂ）はそれぞれ、本発明の実施の形態１に係る軸摺動回動型の光ヘッド装置を模式的に示す説明図、および本形態のレンズホルダの平面図である。
【００１３】
図１（Ａ）、（Ｂ）に示す軸摺動回動型アクチュエータを備えた光ヘッド装置では、光記録媒体２の半径方向に走査可能なフレーム２０上に、対物レンズ３をフォーカシング方向およびトラッキング方向に駆動する対物レンズ駆動装置が構成されており、この対物レンズ駆動装置は、対物レンズ３を保持した剛性樹脂製のレンズホルダ２２を備えている。
【００１４】
レンズホルダ２２は、円筒状のコイル保持部２２１と、このコイル保持部２２１の内側に形成された円筒状の軸受け部２２２と、軸受け部２２２とコイル保持部２２１とを連結するリブ２２３と、コイル保持部２２１から突き出るように形成されたレンズ保持部２２４とを備えている。コイル保持部２２１の外周面には一対のトラッキング駆動コイル２５と、一対のフォーカシング駆動コイル２４とが配置されている。
【００１５】
また、フレーム２０に保持されているホルダ支持部材（図示せず）の底壁からは支軸２１（支持部材）が直立し、この支軸２１はレンズホルダ２２の軸受け部２２２の内側に差し込まれてレンズホルダ２２をフォーカシング方向（図１（Ａ）に矢印Ｆ１で示す方向）、およびトラッキング方向（図１（Ａ）に矢印Ｔ１で示す方向）に移動可能に支持している。また、ホルダ支持部材には、トラッキング駆動コイル２５と対峙するように一対のトラッキング駆動マグネット２７が取り付けられ、フォーカシング駆動コイル２４に対峙して一対のフォーカシング駆動マグネット２６が取り付けられている。従って、駆動コイル２４、２５に通電すると、それによって発生したローレンツ力によって、対物レンズ３を保持するレンズホルダ２２をフォーカシング方向、およびトラッキング方向に駆動することができる。
【００１６】
ここで、レンズホルダ２２は、対物レンズ３および駆動コイル２４、２５を保持した状態で平面方向における重心Ｇ１が、レンズホルダに対する支持中心位置（支軸２１の位置）およびレンズ保持部２２４上からずれている。
【００１７】
このようなレンズホルダ２２の構成に対応して、本形態では、レンズホルダ２２には、コイル保持部２２４の側に、０．３ｍｍ厚の真鍮などからなる第１のウエイト６１、およびゴムなどからなる第１のダンパー部材６２を備えた第１のダンパー機構６が接着固定されている一方、第１のダンパー機構６に対して重心Ｇ１を挟んだ反対側にも、０．３ｍｍ厚の真鍮などからなる第２のウエイト７１、およびゴムなどからなる第２のダンパー部材７２を備えた第２のダンパー機構７が接着固定されている。
【００１８】
ここで、第１のダンパー機構６は、レンズ保持部２２４の側面に対して対物レンズ３を挟む両側位置の各々に配置されている。
【００１９】
このように構成した光ヘッド装置において、対物レンズ３を保持するレンズホルダ２２をフォーカシング方向およびトラッキング方向に駆動した際に、対物レンズ３が振動し続けると、光記録媒体２の記録、再生を適正に行うことができないが、本形態では、第１のダンパー機構６、および第２のダンパー機構７によって振動を吸収するので、対物レンズ３の振動を吸収できる。
【００２０】
しかも、本形態では、重心Ｇ１を挟む両側に第１および第２のダンパー機構６、７を設けるため、対物レンズ３を保持した状態のレンズ保持部２２４側の質量並びに位置、第１のダンパー機構６のウエイト６１の質量並びに位置、および第２のダンパー機構７のウエイト７１の質量並びに位置によってバランスを調整できる。例えば、対物レンズ３を保持した状態のレンズ保持部２２４側の質量と、第２のダンパー機構７に用いたウエイト７１の質量とをバランスさせてなくても、バランスのとりきれない部分については第１のダンパー機構６に用いるウエイト６１の質量で補完するなどの対応をとることができる。また、ダンパー機構６、７の位置についても、例えば、レンズ保持部２２４に対する第１のダンパー機構６の取り付け位置に対応させて、第２のダンパー機構７の取り付け位置を設定するなどの対策を行うことができる。それ故、ダンパー機構６、７の設計の自由度が高いので、対物レンズ３を保持した状態のレンズ保持部２２４側の質量などにかかわらず、共振周波数に対応するダンパー機構６、７を設けることができ、かつ、捩れ振動などといった様々な振動モードにも対応可能にダンパー機構６、７を設けることができるので、対物レンズ３の振動を効果的に吸収することができる。
【００２１】
また、本形態において、第１のダンパー機構６は、レンズ保持部２２４に対して対物レンズ３を挟む両側位置の各々に配置されているため、対物レンズ３に発生する振動を直接、かつ、効果的に吸収することができる。
【００２２】
［実施の形態２］
図２（Ａ）、（Ｂ）はそれぞれ、本発明の実施の形態２に係るワイヤーサスペンジョン型の光ヘッド装置を模式的に示す説明図、および本形態のレンズホルダの平面図である。
【００２３】
図２（Ａ）、（Ｂ）において、ワイヤーサスペンジョン型アクチュエータを備えた光ヘッド装置でも、光記録媒体２の半径方向に走査可能なフレーム３０上に、対物レンズ３をフォーカシング方向（図２（Ａ）に矢印Ｆ２で示す方向）、およびトラッキング方向（図２（Ａ）に矢印Ｔ２で示す方向）に駆動する対物レンズ駆動装置が構成されており、この対物レンズ駆動装置は、対物レンズ３を保持したレンズホルダ３２を備えている。ここで、レンズホルダ３２は、フレーム３０の側に基端側が固定された４本のワイヤー３１（支持部材）によって支持された状態にある。
【００２４】
レンズホルダ３２は、矩形のコイル保持部３２１と、このコイル保持部３２１から先端側に向けて突出して上面で対物レンズ３を保持するレンズ保持部３２４とを有しており、コイル保持部３２１にはフォーカシング駆動コイル３４、およびトラッキング駆動コイル３５が接着固定されている。これに対して、フレーム３０の側には、駆動コイル３４、３５に対して鎖交する磁束を発生する駆動マグネット３６、３７が搭載されている。なお、駆動コイル３４、３５に対する駆動回路（図示せず）はフレーム３０側に配置され、駆動コイル３４、３５に対する給電はワイヤー３１を給電ラインとして行われる。
【００２５】
ここで、レンズホルダ３２は、対物レンズ３および駆動コイル３４、３５を保持した状態で平面方向における重心Ｇ２が、レンズホルダ３２に対する支持中心位置（ワイヤー３１にとる支持位置の中心）およびレンズ保持部３２４上からずれている。
【００２６】
このような構成のレンズホルダ３２に対応して、本形態では、レンズホルダ３２には、コイル保持部３２４の側に第１のウエイト６１および第１のダンパー部材６２を備えた第１のダンパー機構６が配置されている一方、第１のダンパー機構６に対して重心Ｇ２を挟んだ反対側に第２のウエイト７１および第２のダンパー部材７２を備えた第２のダンパー機構７が配置されている。
【００２７】
ここで、第１のダンパー機構６は、レンズ保持部３２４の側面に対して対物レンズ３を挟む両側位置の各々に配置されている。
【００２８】
このように構成した光ヘッド装置においても、実施の形態１と同様、対物レンズ３の振動を第１のダンパー機構６、および第２のダンパー機構７によって吸収することができる。
【００２９】
しかも、本形態では、重心Ｇ２を挟む両側に第１および第２のダンパー機構６、７を設けるため、対物レンズ３を保持した状態のレンズ保持部３２４側の質量並びに位置、第１のダンパー機構６のウエイト６１の質量並びに位置、および第２のダンパー機構７のウエイト７１の質量並びに位置によってバランスを調整できるなど、ダンパー機構６、７の設計の自由度が高い。それ故、共振周波数に対応するダンパー機構６、７を設けることができるので、対物レンズ３の振動を効果的に吸収することができる。
【００３０】
また、本形態において、第１のダンパー機構６は、レンズ保持部３２４に対して対物レンズ３を挟む両側位置の各々に配置されているため、対物レンズ３に発生する振動を直接、吸収することができる。
【００３１】
［その他の実施の形態］
なお、上記の実施の形態１、２では、レンズ保持部２２４、３２４に対して一対の第１のダンパー機構６を設けたが、その振動形態などによっては、レンズ保持部２２４、３２４の先端部に第１のダンパー機構６を設けてもよい。
【００３２】
【発明の効果】
以上説明したように、本発明においては、重心を挟む両側に第１および第２のダンパー機構を設けるため、対物レンズを保持した状態のレンズ保持部側の質量並びに位置、第１のダンパー機構のウエイトの質量並びに位置、および第２のダンパー機構のウエイトの質量並びに位置によってバランスを調整できる。例えば、対物レンズを保持した状態のレンズ保持部側の質量と、第２のダンパー機構に用いたウエイトの質量とをバランスさせてなくても、バランスのとりきれない部分については第１のダンパー機構に用いるウエイトの質量で補完するなどの対応をとることができる。また、ダンパー機構の位置についても、例えば、レンズ保持部に対する第１のダンパー機構の取り付け位置に対応させて、第２のダンパー機構の取り付け位置を設定するなどの対策を行うことができる。それ故、ダンパー機構の設計の自由度が高いので、共振周波数に対応するダンパー機構を設けることができるので、対物レンズの振動を効果的に吸収することができる。
【図面の簡単な説明】
【図１】（Ａ）、（Ｂ）はそれぞれ、本発明の実施の形態１に係る軸摺動回動型の光ヘッド装置を模式的に示す説明図、および本形態のレンズホルダの平面図である。
【図２】（Ａ）、（Ｂ）はそれぞれ、本発明の実施の形態２に係るワイヤーサスペンジョン型の光ヘッド装置を模式的に示す説明図、および本形態のレンズホルダの平面図である。
【図３】従来の軸摺動回動型の光ヘッド装置に用いたレンズホルダの平面図である。
【符号の説明】
３　対物レンズ
６　第１のダンパー機構
７　第２のダンパー機構
２１　支軸（支持部材）
２２、３２　レンズホルダ
２４、２５、３４、３５　駆動コイル
２６、２７、３６、３７　駆動マグネット
３１　ワイヤー（支持部材）
６１、７１　ウエイト
６２、７２　ダンパー部材
２２１、３２１　コイル保持部
２２４、３２４　レンズ保持部
【図１】
2004145960.tif 000003
【図２】
2004145960.tif 000004
【図３】
2004145960.tif 000005